(57)【要約】【課題】  ヒューズユニットをバッテリから遠ざかる方向に積層した場合に、バッテリ側に取り付けられているヒューズユニットのヒューズの状態を容易に視認できるヒューズユニットを提供する。【解決手段】  取付部２０をバッテリポスト１２に取り付けると、ハウジング３０がバッテリ１１の側面１１ａに対向する。同時に、取付部２０およびハウジング３０に内包されているヒューズ本体４０が電気的にバッテリ１１に接続されると共に、可溶部４１を介してハウジング３０に電線接続部４２が形成される。このようなヒューズユニット１０はバッテリ１１から遠ざかる方向に積載可能であり、過大な電流が流れた場合には可溶部４１が溶けて電流を断ち、電気機器を保護している。このとき、可溶部４１の位置が、各ハウジング３０ごとに異なるため、バッテリ側のヒューズユニ１０の可溶部４１ａと前方の可溶部４１ｂとが重ならない。このため、第１のヒューズユニット１０の可溶部４１ａも容易に視認できるようになる。【選択図】  図１
2005135792.tif 000002
【特許請求の範囲】
【請求項１】
バッテリのバッテリポストに取り付けられ所定長さのアームを有する取付部と、前記アームから直角に屈曲して形成されバッテリ側面に対向するハウジングと、一端が前記バッテリポストに電気的に接続されると共に他端は前記ハウジングに内包され可溶部を介して電線接続部を形成するヒューズ本体とを有し、
前記ハウジングにおいて前後に開口したキャビティに配置されている前記可溶部の位置をハウジングごとにずらし、前記ハウジングを前記バッテリから遠ざかる方向に積層した際に、各可溶部を前方から視認できるようにしたことを特徴とするヒューズユニット。
【請求項２】
前記可溶部を含んで前記キャビティに配置されている可溶体における当該可溶部の位置をずらしたことを特徴とする請求項１に記載したヒューズユニット。
【請求項３】
前記可溶部を含んで前記キャビティに配置されている可溶体をずらしたことを特徴とする請求項１に記載したヒューズユニット。
【請求項４】
前記キャビティの位置をハウジングごとにずらしたことを特徴とする請求項１に記載したヒューズユニット。
【請求項５】
前記ハウジングの位置をずらしたことを特徴とする請求項１に記載したヒューズユニット。
【発明の詳細な説明】
【技術分野】
【０００１】
本発明はヒューズユニットに係り、例えば自動車のバッテリに接続されるヒューズユニットに関する。
【背景技術】
【０００２】
従来より、図１１に示すようなヒューズユニットが開示されている（例えば特許文献１参照）。
図１１に示すように、このヒューズユニット１００は、バッテリ１０１と電源供給用の電線１１１とを接続するものであり、ヒューズ１１４、１１６を有する導電金属製の板状のヒューズエレメント１１８と、このヒューズエレメント１１８がインサート成型された絶縁性の樹脂ボディ１１７とを有している。樹脂ボディ１１７は、前側分割ボディ１１３と後側分割ボディ１１５を有しており、両分割ボディ１１３、１１５は直角に折り曲げられている。前側分割ボディ１１３には、バッテリ端子１０２の接続部１０４とオルタネータ端子１０７つなぐヒューズ１１４が配置されている。後側分割ボディ１１５には、４つのヒューズ１１６が並列に配置されており、その先端（図１１においては下方の先端）には４つのタブ端子１２０が形成されている。
【０００３】
バッテリ１０１の電極であるバッテリポスト１１９にはバッテリ端子１０２が取り付けられており、ヒューズユニット１００は、バッテリ端子１０２のスタッドボルト１０３を端子接続部１０４のボルト挿通孔１０４ａに係合させナット１０５で締め付けて接続されている。さらに、オルタネータ端子１０６およびスタータモータ端子１０７がその挿通孔を端子接続部１０８、１０９から突出するスタッドボルト１１０に係合させてナットで締め付け接続される。オルタネータ端子１０６およびスタータモータ端子１０７は、いわゆる電線付き端子であり、電線１１１が一対の圧着片１１２に加締められて接続されている。なお、これらヒューズユニット１００やバッテリ端子１０２等は、上からカバー１２１が被せられており、ほこりや水分の侵入を防止している。
【０００４】
従って、ヒューズユニット１００をバッテリ１０１に取り付けた状態では、前側分割ボディ１１３はバッテリ１０１の上面に水平に位置し、後側分割ボディ１１５はバッテリ１０１の前面１０１ａに沿って垂直に垂れた状態となる。
【特許文献１】特開２００２−３２９４５７号公報（図９）
【発明の開示】
【発明が解決しようとする課題】
【０００５】
ところで、タブ端子１２０の個数が足りないために、２個以上のヒューズユニット１００を取り付けたい場合がある。このような場合に、ヒューズユニット１００をバッテリ１０１の側面に沿って横に並べることが考えられる。この場合には、バッテリポスト１１９からの距離が長くなりすぎたり、スペースの観点からヒューズユニット１００を横に並べるのが困難な場合がある。
そこで、ヒューズユニット１００をバッテリ１０１から遠ざかる方向に積層して取り付けることが考えられる。
【０００６】
しかしながら、ヒューズユニット１００をバッテリ１０１から遠ざかる方向に積層すると、最も前方（上側）に位置するヒューズユニット１００のヒューズ１１６の状態は視認できるが、バッテリ１０１側（下側）に取り付けられているヒューズユニット１００のヒューズ１１６は、第２のヒューズユニット１００の陰に隠れるため視認できない。このため、ヒューズ１１６の状態を確認するためには、前方に取り付けられているヒューズユニット１１６を外したり、取り付けを緩めて移動させてから確認する等、手間を要し、非常に面倒であるという問題がある。
【０００７】
本発明は、前述した問題点に鑑みてなされたものであり、その目的は、ヒューズユニットをバッテリから遠ざかる方向に積層した場合に、バッテリ側に取り付けられているヒューズユニットの可溶部の状態をも容易に視認できるヒューズユニットを提供することにある。
【課題を解決するための手段】
【０００８】
前述した目的を達成するために、本発明は、バッテリのバッテリポストに取り付けられ所定長さのアームを有する取付部と、前記アームから直角に屈曲して形成されバッテリ側面に対向するハウジングと、一端が前記バッテリポストに電気的に接続されると共に他端は前記ハウジングに内包され可溶部を介して電線接続部を形成するヒューズ本体とを有し、前記ハウジングにおいて前後に開口したキャビティに配置されている前記可溶部の位置をハウジングごとにずらし、前記ハウジングを前記バッテリから遠ざかる方向に積層した際に、各可溶部を前方から視認できるようにしたことを特徴としている。
【０００９】
このように構成されたヒューズユニットにおいては、取付部をバッテリポストに取り付けると、ハウジングがバッテリの側面に対向する。同時に、取付部およびハウジングに内包されているヒューズ本体が電気的にバッテリに接続されると共に、可溶部を介してハウジングに電線接続部が形成される。このようなヒューズユニットはバッテリから遠ざかる方向に積載可能であり、過大な電流が流れた場合には可溶部が溶けて電流を断ち、電気機器を保護している。このとき、可溶部の位置を、各ハウジングごとにずらしているため、バッテリ側のヒューズユニットの可溶部と前方の可溶部とが重ならない。このため、バッテリ側のヒューズユニットの可溶部をも前方から容易に視認できるようになる。
なお、可溶部の位置をずらすということは、可溶部を備えた可溶体の形状は同じとして可溶部の位置を変える場合のみならず、可溶体の形状そのものを変えることによって可溶部の位置を変える場合や、可溶体の位置を変える場合等も含む。
【００１０】
また、本発明は、前記可溶部を含んで前記キャビティに配置されている可溶体における当該可溶部の位置をずらしたことを特徴としている。
【００１１】
このように構成されたヒューズユニットにおいては、可溶体における可溶部の位置をずらしたので、バッテリ側のヒューズユニットの可溶部と前方のヒューズユニットの可溶部とが重ならない。このため、バッテリ側のヒューズユニットの可溶部をも前方から容易に視認できるようになる。
【００１２】
また、本発明は、前記可溶部を含んで前記キャビティに配置されている可溶体をずらしたことを特徴としている。
【００１３】
このように構成されたヒューズユニットにおいては、キャビティ内の可溶体の位置をずらすことにより、可溶部の位置がずれるので、バッテリ側のヒューズユニットの可溶部と前方のヒューズユニットの可溶部とが重ならない。このため、バッテリ側のヒューズユニットの可溶部をも前方から容易に視認できるようになる。
【００１４】
また、本発明は、前記キャビティの位置をハウジングごとにずらしたことを特徴としている。
【００１５】
このように構成されたヒューズユニットにおいては、ハウジングごとにキャビティの位置をずらしたので、キャビティに収容されている可溶部の位置もハウジングごとにずれる。このため、バッテリ側のヒューズユニットの可溶部と前方のヒューズユニットの可溶部とが重ならなくなり、バッテリ側のヒューズユニットの可溶部をも前方から容易に視認できるようになる。
【００１６】
また、本発明は、前記ハウジングの位置を、ずらしたことを特徴としている。
【００１７】
このように構成されたヒューズユニットにおいては、ハウジングの取り付け位置をずらしたので、ハウジングごとにキャビティの位置がずれ、キャビティに収容されている可溶部の位置もハウジングごとにずれる。このため、バッテリ側のヒューズユニットの可溶部と前方のヒューズユニットの可溶部とが重ならなくなり、バッテリ側のヒューズユニットの可溶部をも前方から容易に視認できるようになる。
【発明の効果】
【００１８】
本発明によれば、可溶部の位置が、各ハウジングごとに異なるため、バッテリ側のヒューズユニットの可溶部と前方のヒューズユニットの可溶部とが重ならない。このため、バッテリ側のヒューズユニットの可溶部をも前方から容易に視認できるようになる。
【発明を実施するための最良の形態】
【００１９】
以下、本発明に係る実施形態を図面に基づいて詳細に説明する。図１は本発明に係るヒューズユニットをバッテリに取り付ける状態を示す分解斜視図、図２はヒューズユニットの平面図、図３はヒューズユニットの側面図、図４はヒューズユニットの正面図、図５（Ａ）はバッテリ側のヒューズを示す正面図、（Ｂ）は前方のヒューズを示す正面図、（Ｃ）はヒューズの形状を示す正面図である。
【００２０】
図１には、本発明にかかる２個のヒューズユニット１０ａ、１０ｂをバッテリ１１から遠ざかる方向に積層する場合が示されている。各ヒューズユニット１０ａ、１０ｂは、バッテリ１１の電極であるバッテリポスト１２に取り付けられ所定長さのアーム２１ａ、２１ｂを有する取付部２０ａ、２０ｂと、アーム２１ａ、２１ｂから下方へ直角に屈曲して形成されバッテリ側面１１ａに対向するハウジング３０ａ、３０ｂと、一端が前記バッテリポスト１２に電気的に接続されると共に他端はハウジング３０ａ、３０ｂに内包され可溶部４１を介して電線接続部としてのコネクタ４２を形成するヒューズ本体４０ａ、４０ｂとを有している。
【００２１】
図１および図２に示すように、バッテリポスト１２にはバッテリ端子１３が取り付けられている。このバッテリ端子１３のスタッドボルト１３ａには、スタータ用電線１４の端部に取り付けられているスタータ端子１４ａと、最もバッテリ１１側のヒューズユニット１０ａ（以後、「第１のヒューズユニット１０ａ」と呼ぶ）の取付部２０ａが取り付けられている。取付部２０ａにはヒューズ本体４０ａの一端が露出して設けられており、スタッドボルト１３ａにナット１５ａで止めることによりヒューズ本体４０ａとバッテリ１１とが電気的に接続されるようになっている。
【００２２】
第１のヒューズユニット１０ａの取付部２０ａにおいて、ヒューズ本体４０の上面には２本のスタッドボルト２２ａ、２２ｂが設けられている。スタッドボルト２２ａは、オルタネータ用電線２３の先端に取り付けられているオルタネータ端子２３ａがナット１５ｂで止められて電気的に接続されており、同時に、前方のヒューズユニット１０ｂ（以後、「第２のヒューズユニット１０ｂ」と呼ぶ）の取付部２０ｂもナット１５ｂで止められている。第２のヒューズユニット１０ｂの取付部２０ｂでは、ヒューズ本体４０ｂが露出しており、第１のヒューズユニット１０ａの取付部２０ａと電気的に接続されている。また、スタッドボルト２２ｂは、ヒューズ２３を介してバッテリポスト１２と電気的に接続されており、所定以上の電流が流れないようになっている。
なお、取付部２０ａおよびスタッドボルト２２ａ、２２ｂ等は、上方からカバー１７が取り付けられており、ほこりや水分の付着による接触不良や短絡等の不具合を防止している。
【００２３】
図１および図３に示すように、ヒューズ本体４０ａ、４０ｂは取付部２０ａ、２０ｂのアーム２１ａ、２１ｂの先端から９０度下向きに折り曲げられており、ヒューズ本体４０ａ、４０ｂを覆うように絶縁性の樹脂からなるハウジング３０ａ、３０ｂが一体成型されている。アーム２１ａ、２１ｂの長さ、すなわちバッテリポスト１２との取付部から９０度曲げ降ろす点までの長さは、ハウジング３０ａ、３０ｂの厚さ等によって適正に設定されている。ハウジング３０ａ、３０ｂの下端は開口しており、開口内にヒューズ本体４０ａ、４０ｂの先端が露出して、メス型のコネクタ４２を形成している。従って、電気機器に接続される電線１５の先端に取り付けられているオス型のコネクタ１６を、コネクタ４２内に嵌挿することにより、電力を供給できるようになっている。
【００２４】
図４には、第１のハウジング３０ａおよび第２のハウジング３０ｂの正面図が示されているが、第１のハウジング３０ａは第２のハウジング３０ｂの陰に隠れている。ハウジング３０ｂには、前面に開口した内部空間であるキャビティ３１が並んで設けられている。ヒューズ本体４０ｂにおけるキャビティ３１に対応する位置には、可溶部４１を有する可溶体であるヒューズ４３が設けられており、ヒューズ本体４０ｂにおけるバッテリ１１側とコネクタ４２側は、ヒューズ４３のみを介して電気的に接続されている。
【００２５】
なお、ヒューズ本体４０ａ、４０ｂは、ヒューズ４３よりもバッテリポスト１２側では一体的になっており、コネクタ４２側では各々電気的に分離して延伸されて、各々独立してコネクタ４２を形成している。
また、ヒューズユニット１０ａ、１０ｂの製造にあたっては、可溶部４１を所定位置に有するヒューズ４３を含んだヒューズ本体４０ａ、４０ｂを平面状に作成し、このヒューズ本体４０ａ、４０ｂに樹脂によりハウジング３０ａ、３０ｂや取付部２０ａ、２０ｂを一体成型した後、ヒューズ本体４０ａ、４０ｂを直角下方に折り曲げて製造できる。
【００２６】
図４に示すように、第１のヒューズユニット１０ａと第２のヒューズユニット１０ｂとで、ハウジング３０ａ、３０ｂの形状及びキャビティ３１ａ、３１ｂの形状が同じ場合には、両ハウジング３０ａ、３０ｂａキャビティ３１ａ、３１ｂは完全に重なる。このため、ハウジング３０ａのキャビティ３１ａ内に位置するヒューズ４３ａは、ハウジング３０ｂのキャビティ３１ｂ内に位置するヒューズ４３ｂの陰に隠れることになる。この場合、ヒューズ４３ａにおける可溶部４１ａとヒューズ４３ｂにおける可溶部４１ｂは、可溶部４１ａ、４３ｂの上下位置をずらしているため、前方から区別して視認できる。
【００２７】
すなわち、第１のヒューズユニット１０ａのヒューズ４３ａの可溶部４１ａは、図５（Ａ）に示すように、ヒューズ４３ａの中心Ｐ０よりも低い位置に配置されている。一方、第２のヒューズユニット１０ｂのヒューズ４３ｂの可溶部４１ｂは、図５（Ｂ）に示すように、ヒューズ４３ｂの中心Ｐ０よりも高い位置に配置されている。これは、図５（Ｃ）に示すように、ヒューズ４３の形状が中心Ｐ０の関して点対称であって、中心Ｐ０から外れた位置に可溶部４１を設けている場合には、１８０度反転することにより、可溶部４１ａ、４１ｂの高さを容易にずらすことができる。このため、図４に示したように、前方から見た場合に、両可溶部４１ａ、４１ｂの状態を視認できる。なお、可溶部４１ａを中心よりも上方に配置し、可溶部４１ｂを中心よりも下方に配置した場合もまったく同様である。
【００２８】
図６は、バッテリ側のヒューズと前方のヒューズとをずらした別の形態を示す正面図、図７（Ａ）はバッテリ側のヒューズの配置を示す正面図、（Ｂ）は前方のヒューズの配置を示す正面図である。
【００２９】
図７（Ａ）および（Ｂ）に示すように、キャビティ３１ａ、３１ｂ内におけるヒューズ４３ａ、４３ｂの位置をずらすことにより、第１のヒューズユニット１０ａの可溶部４１ａと第２のヒューズユニット１０ｂの可溶部４１ｂとが重ならないように配置した。この結果、図６に示すように、前方からヒューズユニット１０ａ、１０ｂを見た場合に、前方のキャビティ３１ｂを通して、可溶部４１ａと可溶部４１ｂとを同時に視認できる。
なお、この場合、可溶部４１ａ、４１ｂは、ヒューズ４３ａ、４３ｂの中心位置に設けられていても良い。あるいは、図４および図５に示した場合と同様に、上下にずらして設けていても良い。
【００３０】
図８（Ａ）、（Ｂ）には、ハウジング３０ａ、３０ｂにおけるキャビティ３１ａ、３１ｂの位置をずらした場合が示されている。
この場合は、キャビティ３１ａ、３１ｂの大きさ、ヒューズ４３ａ、４３ｂの大きさおよび形状およびキャビティ３１ａ、３１ｂにおける配置がまったく同じハウジング３０ａ、３０ｂを重ねて取り付けた場合が該当する。ハウジング３０ａ、３０ｂの位置はまったく同じだが、キャビティ３１ａ、３１ｂの水平方向位置をずらすことにより、ヒューズ４３ａ、４３ｂの位置がずれるため、可溶部４１ａ、４１ｂがずれて重ならなくなる。このため、前方から、第１のヒューズユニット１０ａの可溶部４１ａおよび第２のヒューズユニット１０ｂの可溶部４１ｂを視認できる。
【００３１】
図９（Ａ）、（Ｂ）には、ハウジング３０ａ、３０ｂの取り付け位置をずらした場合が示されている。
この場合は、キャビティ３１ａ、３１ｂの大きさおよび配置、ヒューズ４３ａ、４３ｂの大きさおよび形状およびキャビティ３１ａ、３１ｂにおける配置がまったく同じハウジング３０ａ、３０ｂを、水平方向にずらして取り付けた場合が該当する。ハウジング３０ａ、３０ｂ全体をずらすことにより、ヒューズ４３ａ、４３ｂの位置がずれるため、可溶部４１ａ、４１ｂがずれて重ならなくなる。このため、前方から、第１のヒューズユニット１０ａの可溶部４１ａおよび第２のヒューズユニット１０ｂの可溶部４１ｂを視認できる。
【００３２】
以上、前述したヒューズユニット１０ａ、１０ｂによれば、可溶部４１ａ、４１ｂの位置をずらすことにより、前方から両可溶部４１ａ、４１ｂを視認できるので、ヒューズ４３ａ、４３ｂの状態を容易に把握できる。
【００３３】
なお、本発明のヒューズユニット１０ａ、１０ｂは、前述した実施形態に限定されるものでなく、適宜な変形，改良等が可能である。
例えば、前述した実施形態において、２個のヒューズユニット１０ａ、１０ｂを積層する場合について説明したが、３個以上のヒューズユニットを積層することも可能である。
【００３４】
また、前述したヒューズユニット１０ａ、１０ｂにおいては、ハウジング３０ａ、３０ｂの先端（下端）にコネクタ４２を設けた場合について説明したが、図１０に示すヒューズユニット１０ｃのように、ハウジング３０ｃにコネクタ４２の代わりにねじ４４ａによって接続する端子４４を設けることもできる。この場合には、正面から作業ができるように、最も上に積層されたヒューズユニット１０ｃに限られ、その他のヒューズユニット１０ａ、１０ｂは、前述したような、下方からコネクタ１６を接続できるタイプのヒューズユニットとするのがよい。
【図面の簡単な説明】
【００３５】
【図１】本発明に係るヒューズユニットをバッテリに取り付ける状態を示す分解斜視図である。
【図２】ヒューズユニットの平面図である。
【図３】ヒューズユニットの側面図である。
【図４】ヒューズユニットの正面図である。る
【図５】（Ａ）はバッテリ側のヒューズを示す正面図、（Ｂ）は前方のヒューズを示す正面図、（Ｃ）はヒューズの形状を示す正面図である。
【図６】バッテリ側のヒューズと前方のヒューズとをずらした別の形態を示す正面図である。
【図７】（Ａ）はバッテリ側のヒューズの配置を示す正面図、（Ｂ）は前方のヒューズの配置を示す正面図である。
【図８】（Ａ）および（Ｂ）は、キャビティの位置をずらしたハウジングの正面図である。
【図９】（Ａ）および（Ｂ）は、ハウジングの取り付け位置をずらした場合の説明図である。
【図１０】ハウジングの別の例を示す正面図である。
【図１１】従来のヒューズユニットを示す分解斜視図である。
【符号の説明】
【００３６】
１０ａ、１０ｂ  ヒューズユニット
１１  バッテリ
１１ａ  バッテリ側面
１２  バッテリポスト
２０ａ、２０ｂ  取付部
２１  アーム
３０ａ、３０ｂ  ハウジング
３１ａ、３１ｂ  キャビティ
４０ａ、４０ｂ  ヒューズ本体
４１ａ、４１ｂ  可溶部
４２  電線接続部
４３ａ、４３ｂ  ヒューズ（可溶体）
【図１】
2005135792.tif 000003
【図２】
2005135792.tif 000004
【図３】
2005135792.tif 000005
【図４】
2005135792.tif 000006
【図５】
2005135792.tif 000007
【図６】
2005135792.tif 000008
【図７】
2005135792.tif 000009
【図８】
2005135792.tif 000010
【図９】
2005135792.tif 000011
【図１０】
2005135792.tif 000012
【図１１】
2005135792.tif 000013